(57)【要約】【課題】制動力の調節範囲が拡大できて面材の開閉操作性の向上を図ることができる制動装置および建具を提供すること。【解決手段】扉体の上框７に取り付けた制動装置本体１２のスライダ１５と、建具枠の上枠に回動自在に連結されたアーム１３とが連結され、扉体の開閉に伴ってスライダ１５が案内部材１４内をスライドして低摩擦樹脂シート１６に摺動することで、扉体３の開閉速度を適宜に制御することができ、扉体が建具枠等に勢いよく衝突することが防止できる。さらに、低摩擦樹脂シート１６とスライダ１５とが互いに摺接するように配置され、それらの間の押圧力が距離調節機構１７によって調節できるので、容易な調節作業によって制動力の調節範囲を拡大することができる。【選択図】図４
2008248506.tif 000002
【特許請求の範囲】
【請求項１】
枠体に回動開閉自在に支持された面材を備えた建具に設けられて前記面材の開閉速度を制御する制動装置であって、
前記枠体および面材の一方に設けられて互いに対向する一対の対向面を有した案内部と、
前記対向面間に設けられて前記案内部にスライド案内されるスライダと、
前記スライダに回動自在に連結されるとともに前記枠体および面材の他方に軸支されたアームと、
前記一対の対向面の少なくとも一方に設けられて前記スライダと摺接可能な低摩擦面と、
前記低摩擦面と前記スライダとの押圧力を調節する押圧力調節手段とを備えた制動装置。
【請求項２】
前記押圧力調節手段は、前記案内部の対向面間の距離を変更することで押圧力を調節可能な距離調節機構で構成されている請求項１に記載の制動装置。
【請求項３】
前記距離調節機構は、前記スライダのスライド方向に沿った前記案内部の両端部のうち、少なくとも一方側の端部に設けられている請求項２に記載の制動装置。
【請求項４】
前記低摩擦面と前記スライダとは、互いの動摩擦係数が０．０３〜０．１３の範囲となる材質の組み合わせで構成されている請求項１から請求項３のいずれかに記載の制動装置。
【請求項５】
前記低摩擦面は、フッ素樹脂を含んで形成され、前記一対の対向面の少なくとも一方と前記スライダとの間に介挿された低摩擦樹脂シートで構成されている請求項１から請求項４のいずれかに記載の制動装置。
【請求項６】
前記案内部は、一対の側面部を有して全体ケース状に形成された案内部材で構成され、前記一対の対向面は、前記一対の側面部の各々の内面で構成され、
前記一対の側面部に前記低摩擦面が設けられるとともに、これらの低摩擦面に当接しかつ当該一対の側面部間に前記スライダが挟持された状態において、前記案内部材が前記枠体および面材の一方に形成された凹溝部に取り付けられる請求項１から請求項５のいずれかに記載の制動装置。
【請求項７】
枠体と、この枠体に回動開閉自在に支持された面材と、この面材の開閉速度を制御する請求項１から請求項６のいずれかに記載の制動装置とを備えた建具。
【発明の詳細な説明】
【技術分野】
【０００１】
本発明は、制動装置および建具に関し、詳しくは、枠体に回動開閉自在に支持された面材の開閉速度を制御する制動装置、この制動装置を備えた建具に関する。
【背景技術】
【０００２】
従来、引き戸の開閉速度を減速させる制動装置が提案されている（例えば、特許文献１参照）。
特許文献１に記載された制動装置は、引き戸をスライド案内する鴨居（上枠）に固定した制動部材と、引き戸（面材）の上端縁に固定した当接部材とで構成されている。そして、制動部材は、長尺なレール状に形成され、その側面に一対の制動板を有し、当接部材は、断面凹溝状に形成されるとともに凹溝内部における一対の側面に固定され摺動部材を有して構成されている。このような制動装置では、引き戸を閉じる際に、当接部材の摺動部材が制動部材の制動板を挟み込むようにして互いに摺動することで、摺動部材と制動板とに摩擦抵抗力を発生させ、この摩擦抵抗力によって引き戸の閉鎖速度を減速させる構成になっている。
【０００３】
【特許文献１】特許第３４２３１８０号公報
【発明の開示】
【発明が解決しようとする課題】
【０００４】
しかしながら、従来の制動装置が設けられた建具は、引き戸つまり面材がスライド開閉可能に支持されたものであり、面材の閉鎖（または開放）直前位置に制動部材が設けられ、スライド開閉の中間位置には制動部材が設けられていない。すなわち、従来の制動装置は、面材が閉鎖（または開放）された際に勢いよく柱（縦枠）に当接することを防止するためのもので、スライド開閉の中間位置における面材の開閉速度を制御するものではない。ここで、制動部材を上枠の全長に渡る長さ寸法にすることも考えられるが、このようにすると、面材の開閉抵抗が大きくなって操作性が悪化してしまうとともに、制動部材が長くなってコスト増加を招いてしまうという不都合もある。
また、従来の制動装置では、摺動部材が摩擦抵抗の大きな材質で構成されているため、面材を閉鎖する直前位置において制動板と摺動した際に急激かつ大きな摩擦抵抗力が発生することとなる。このため、閉鎖操作の途中で面材が止まってしまったり、急に大きな操作力が必要になったり、閉鎖状態から開放する際においても初期に大きな操作力が必要で途中から急に軽くなったりなど、開閉操作の途中で操作力が大きく変動することから良好な操作性が得られないという問題がある。さらに、摩擦抵抗の大きな摺動部材を用いているため、発生する摩擦抵抗力の調節範囲が狭く、前述のような操作力の変動を摩擦抵抗力の調節により解消することも困難である。
【０００５】
本発明の目的は、制動力の調節範囲が拡大できて面材の開閉操作性の向上を図ることができる制動装置および建具を提供することにある。
【課題を解決するための手段】
【０００６】
本発明の制動装置は、枠体に回動開閉自在に支持された面材を備えた建具に設けられて前記面材の開閉速度を制御する制動装置であって、前記枠体および面材の一方に設けられて互いに対向する一対の対向面を有した案内部と、前記対向面間に設けられて前記案内部にスライド案内されるスライダと、前記スライダに回動自在に連結されるとともに前記枠体および面材の他方に軸支されたアームと、前記一対の対向面の少なくとも一方に設けられて前記スライダと摺接可能な低摩擦面と、前記低摩擦面と前記スライダとの押圧力を調節する押圧力調節手段とを備えたことを特徴とする。
【０００７】
ここで、本発明の制動装置が設けられる建具としては、面材である扉体が回動開閉可能に設けられたドア等の出入り口に用いられるものであってもよく、また面材である障子が回動開閉可能に設けられた開き窓や突き出し窓、外倒し窓、内倒し窓等であってもよい。また、低摩擦面としては、対向面を構成する部材自体の表面で構成されていてもよく、また対向面を構成する部材と別体で形成したものを対向面とスライダとの間に介挿して構成されていてもよい。
【０００８】
以上の本発明によれば、枠体と回動開閉可能に設けられた面材とをアームを用いた制動装置で連結し、ドア等の扉体や開き窓等の障子の開閉速度を適宜に制御することで、開閉に伴って面材が枠体や壁等に勢いよく衝突することが防止でき、開閉音も抑制することができる。そして、スライダが案内部にスライド案内されることで、案内される全長に渡って低摩擦面を設けることも可能になり、面材の開閉操作の全区間において、その開閉速度を制御することもできる。この際、スライダがアームを介してスライド移動される、すなわちアームがリンクとして機能するので、アームと枠体や面材との連結位置、アームの長さ等を適宜に設定すれば、案内部の長さ寸法をさほど長くしなくても、面材の開閉全区間に対応してスライダをスライド案内することができる。
さらに、案内部の対向面にスライダと摺接可能な低摩擦面を設けるとともに、それらの間の押圧力を押圧力調節手段で調節することで、小さな摩擦抵抗力から大きな摩擦抵抗力までの広い範囲で摩擦抵抗力を調節することができる。すなわち、小さな押圧力と高い摩擦係数とによって摩擦抵抗力を得る場合には、部品の製作精度や押圧力の調節精度、装置の長期使用による摩耗等が大きく影響して所定の摩擦抵抗力を確保することが困難となるが、低い摩擦係数に対して相対的に大きな押圧力を作用させることで所定の摩擦抵抗力を高精度に発生させることができる。従って、ある程度小さな押圧力で低摩擦面とスライダとを押圧した状態から、押圧力を調節して大きくしていくだけで摩擦抵抗力を略線形に高めることができ、容易な調節作業によって調節範囲を拡大させることができる。
以上により、面材の閉鎖直前位置や開放直前位置に限らずに開閉全区間において面材の開閉速度を制御することができ、開閉途中における操作力の急激な変動が防止できるとともに、所定の摩擦抵抗力を高精度に発生させることができるので、操作性を向上させることができる。
【０００９】
この際、本発明の制動装置では、前記押圧力調節手段は、前記案内部の対向面間の距離を変更することで押圧力を調節可能な距離調節機構で構成されていることが好ましい。
このような構成によれば、距離調節機構によって対向面間の距離を変更することで押圧力を調節することで、押圧力の調節が容易にでき、所定の摩擦抵抗力を確実に得ることができる。距離調節機構としては、例えば、ボルト等の螺合部材を用いた締め付け機構が例示できるが、このような機構を用いれば、螺合部材を締め付けていくだけで大きな押圧力を容易に作用させることができ、低摩擦面に発生する摩擦抵抗力を高精度に調節することができる。
【００１０】
さらに、本発明の制動装置では、前記距離調節機構は、前記スライダのスライド方向に沿った前記案内部の両端部のうち、少なくとも一方側の端部に設けられていることが好ましい。
このような構成によれば、案内部の両端部のうちの一方または両方に距離調節機構を設けることで、スライダのスライド方向に沿った一方側と他方側とで対向面間の距離が相違するようにも距離調節可能になる。従って、スライダのスライド位置に応じて押圧力を変動させることができ、例えば、面材の閉鎖側に対応して押圧力が大きくなるように対向面間の距離を変更すれば、閉鎖方向に向かって徐々に摩擦抵抗力が大きくなり、面材が緩やかかつ静かに閉じるようにできる。
【００１１】
以上において、本発明の制動装置では、前記低摩擦面と前記スライダとは、互いの動摩擦係数が０．０３〜０．１３の範囲となる材質の組み合わせで構成されていることが好ましい。
ここで、動摩擦係数が０．０３〜０．１３の範囲となる低摩擦面およびスライダの材質の組み合わせとしては、例えば、鋼鉄同士や樹脂同士、あるいは一方が鋼鉄で他方が樹脂など、各種素材の組み合わせが利用可能である。さらに、両方が鋼鉄で摩擦面に潤滑油を塗布した組み合わせや、一方が鋼鉄で他方がフッ素樹脂（例えば、ポリテトラフルオロエチレン（PTFE）等の四フッ化エチレン樹脂）からなる組み合わせによれば、動摩擦係数を０．０５程度以下に設定することができ、より好ましい。
そして、本発明の制動装置では、前記低摩擦面は、フッ素樹脂を含んで形成され、前記一対の対向面の少なくとも一方と前記スライダとの間に介挿された低摩擦樹脂シートで構成されていることが好ましい。
このような構成によれば、前述のように小さな摩擦抵抗力から大きな摩擦抵抗力までの広い範囲で摩擦抵抗力を調節することができ、容易な調節作業によって調節範囲を拡大させることができる。ここで、低摩擦樹脂シートを構成するフッ素樹脂としては、例えば四フッ化エチレン樹脂が利用可能である。
【００１２】
また、本発明の制動装置では、前記案内部は、一対の側面部を有して全体ケース状に形成された案内部材で構成され、前記一対の対向面は、前記一対の側面部の各々の内面で構成され、前記一対の側面部に前記低摩擦面が設けられるとともに、これらの低摩擦面に当接しかつ当該一対の側面部間に前記スライダが挟持された状態において、前記案内部材が前記枠体および面材の一方に形成された凹溝部に取り付けられることが好ましい。
このような構成によれば、案内部材にスライダを組み合わせた状態、つまりアームを除く制動装置を組み立てた状態で枠体や面材に取り付けることで、取付作業を容易にできる。さらに、低摩擦面に当接させてスライダを案内部材に組み込んだ状態で、押圧力調節手段によって低摩擦面とスライダとの間の押圧力を予め調節しておくことができ、枠体や面材に取り付けてから調節するよりも調節作業を容易かつ高精度に実施することができる。
【００１３】
一方、本発明の建具は、枠体と、この枠体に回動開閉自在に支持された面材と、この面材の開閉速度を制御する前記いずれかの制動装置とを備えたことを特徴とする。
このような建具によれば、前述の制動装置と略同様の効果、すなわち制動装置の制動力を広い範囲で調節することができるとともに、面材の開閉操作性の向上を図ることができるという効果を奏する。
【発明を実施するための最良の形態】
【００１４】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１５】
〔第１実施形態〕
図１は、本発明の第１実施形態に係る建具であるドア１を示す斜視図である。図２は、ドア１における面材を示す平面図である。図３(Ａ)，(Ｂ)は、ドア１に設けられる制動装置１１を示す平面図および側面図である。図４、図５は、それぞれ制動装置１１を示す斜視図および断面図である。
図１および図２において、ドア１は、建物の玄関や屋内各室の出入り口等に設けられるものであって、枠体としての建具枠２と、この建具枠２に回動開閉自在に支持された面材としての扉体３とを有して構成されている。建具枠２は、上枠４、下枠５および左右の縦枠６を四周枠組みして形成され、扉体３は、上框７、下框８および左右の縦框９を四周框組みした内部にガラス製や樹脂製のパネル材１０を嵌め込んで構成されている。そして、扉体３は、その吊り元側端縁である一方の縦框９Ａの上下端部がそれぞれ上枠４および下枠５に軸支され、戸先側端縁である他方の縦框９Ｂが縦枠６から離れる方向に開放可能に設けられている。そして、上枠４と上框７とは、扉体３の開閉速度を制御する制動装置１１で連結されている。なお、制動装置１１は、扉体３の開閉速度を制御するとともに、扉体３の開放角度を規制する開放角度規制装置としても機能するようになっている。
【００１６】
制動装置１１は、図３〜図５にも示すように、扉体３の上框７の凹溝部７Ａに取り付けられる制動装置本体１２と、この制動装置本体１２と上枠４とを連結するアーム１３とを備えて構成されている。制動装置本体１２は、上框７に固定される全体ケース状の案内部材（案内部）１４と、この案内部材１４内部に設けられてスライド案内されるスライダ１５と、このスライダ１５と摺接可能に案内部材１４内部に固定された低摩擦部材としての低摩擦樹脂シート１６とを有して構成されている。そして、アーム１３は、その一端がピン１３Ａを介してスライダ１５に軸支されるとともに、他端が上枠４の下面に回動自在に連結されている。また、低摩擦樹脂シート１６は、フッ素樹脂（例えば、四フッ化エチレン樹脂）を含有した合成樹脂製であって、シート状に加工されたものである。
【００１７】
案内部材１４は、金属板材から折り曲げ加工により形成されたもので、底面部１４１と、この底面部１４１から立ち上がって互いに対向する一対の側面部１４２と、これらの側面部１４２の長手方向の一方側（図３の右側）端縁同士を連結する第１端面部１４３と、長手方向の他方側に設けられる第２端面部１４４とを有して構成されている。そして、案内部材１４の第２端面部１４４側には、一対の側面部１４２の各々に連続して当該案内部材１４の長手方向外方に延びる一対の延出片部１４５が形成され、これらの延出片部１４５同士は、それぞれを貫通する螺合部材である六角ボルト１４６で連結されている。また、底面部１４１における長手方向両端部には、当該案内部材１４を上框７の凹溝部７Ａ底面に固定するための固定片部１４７が形成されている。このような案内部材１４において、一対の側面部１４２の内面によって、互いに対向する一対の対向面１４２Ａが構成され、これらの対向面１４２Ａに低摩擦樹脂シート１６が接着剤等で貼り付け固定されている。
【００１８】
スライダ１５は、エンジニアリングプラスチック等からなる樹脂成形品であって、全体略直方体状に形成されている。なお、スライダ１５は、ステンレス鋼や炭素鋼等の鋼鉄製でもよく、またアルミや黄銅等の適宜な合金製であってもよい。このスライダ１５は、案内部材１４の長手方向に沿い一対の対向面１４２Ａに対向する一対の摺接面部１５１を有して形成されるとともに、スライダ１５の上面には、アーム１３のピン１３Ａが挿入される挿通孔１５２が設けられている。このようなスライダ１５は、扉体３の開閉に伴ってアーム１３からの移動規制を受け、案内部材１４の内部をスライド移動するようになっている。そして、スライダ１５の一対の摺接面部１５１は、それぞれ一対の対向面１４２Ａに固定された低摩擦樹脂シート１６と摺接可能になっており、このようにスライダ１５と低摩擦樹脂シート１６とが摺接することで、摩擦抵抗力が発生するようになっている。このようなスライダ１５と低摩擦樹脂シート１６とにおける互いの動摩擦係数μは、０．０３〜０．１３（０．０３≦μ≦０．１３）の範囲に設定され、好ましくは０．０５程度以下（μ≦０．０５）となるように設定されている。
【００１９】
以上の制動装置本体１２において、延出片部１４５と、六角ボルト１４６と、一対の延出片部１４５間に介挿されるスペーサ１７１とによって、押圧力調節手段としての距離調節機構１７が構成されている。すなわち、一対の延出片部１４５間に適宜な厚さ寸法および剛性を有したスペーサ１７１を介挿した状態で、六角ボルト１４６を締め付けることで延出片部１４５同士の距離、つまり一対の側面部１４２（対向面１４２Ａ）間の距離が調節可能になっている。従って、対向面１４２Ａ間にスライダ１５を配置した状態において、六角ボルト１４６を締め付けて対向面１４２Ａ間の距離を短くするか、または六角ボルト１４６を緩めて対向面１４２Ａ間の距離を長くすることで、低摩擦樹脂シート１６とスライダ１５の摺接面部１５１との押圧力が調節でき、これにより押圧力調節手段が構成されている。
【００２０】
なお、本実施形態において、押圧力調節手段としての距離調節機構１７は、前述のように案内部材１４の片側だけに設けられたものに限らず、以下の図６および図７に示すように、案内部材１４におけるスライダ１５のスライド方向両側に設けられたものでもよい。ここで、図６(Ａ)，(Ｂ)は、本実施形態の変形例に係る制動装置１１Ａを示す平面図および側面図であり、図７は、制動装置１１Ａを示す斜視図である。
この制動装置１１Ａでは、案内部材１４の第１端面部１４３側および第２端面部１４４側の両側に、それぞれ前述と同様の一対の延出片部１４５が形成され、これらの延出片部１４５同士がスペーサ１７１を介して六角ボルト１４６で連結され、これらの延出片部１４５、六角ボルト１４６およびスペーサ１７１によって２箇所の距離調節機構１７が構成されている。従って、左右の距離調節機構１７によって異なる厚さ寸法を有するスペーサ１７１を用いたり、六角ボルト１４６の締め付け力を変えたりすることで、スライダ１５のスライド位置に応じて発生する摩擦抵抗力を変動させることができるようになっている。
【００２１】
このような本実施形態によれば、以下のような効果がある。
（１）すなわち、扉体３の上框７に取り付けた制動装置本体１２のスライダ１５と、建具枠２の上枠４に回動自在に連結されたアーム１３とが連結され、扉体３の開閉に伴ってスライダ１５が案内部材１４内をスライドして低摩擦樹脂シート１６に摺動することで、扉体３の開閉速度を適宜に制御することができる。従って、開閉に伴って扉体３が建具枠２や壁等に勢いよく衝突することが防止でき、開閉音も抑制することができる。
【００２２】
（２）この際、スライダ１５がアーム１３を介してスライド移動される、すなわちアーム１３がリンクとして機能するので、上框７の長さ寸法と比較して案内部材１４の長さ寸法が短くても、扉体３の開閉全区間に対応したスライドストロークが確保でき、開閉全区間に渡って案内部材１４でスライダ１５を案内することができる。従って、扉体３の閉鎖直前位置や開放直前位置に限らずに開閉全区間において開閉速度を制御することができ、開閉途中における操作力の急激な変動が防止できる。
【００２３】
（３）さらに、低摩擦樹脂シート１６とスライダ１５とが互いに摺接するように配置され、それらの間の押圧力が距離調節機構１７によって調節できるので、スペーサ１７１の交換や六角ボルト１４６の締め付けなどの容易な調節作業によって調節範囲を拡大させることができ、小さな摩擦抵抗力から大きな摩擦抵抗力までの広い範囲で高精度に摩擦抵抗力を調節することができる。従って、所望の摩擦抵抗力を高精度に発生させることができるので、操作性を向上させることができる。
【００２４】
（４）また、低摩擦樹脂シート１６とスライダ１５とが案内部材１４に組み込まれた状態でユニット化し、このユニット化した制動装置本体１２を上框７に取り付けることで、取付作業を容易にできる。さらに、ユニット化した制動装置本体１２において、距離調節機構１７によって低摩擦樹脂シート１６とスライダ１５との間の押圧力を予め調節しておくことができ、扉体３に取り付けてから調節するよりも調節作業を容易かつ高精度に実施することができる。さらに、扉体３を建具枠２に建て込んだ後においても、上框７の上方から六角レンチ等の工具を用いて六角ボルト１４６を回転操作することで、摩擦抵抗力の調節が容易に実施できる。
【００２５】
〔第２実施形態〕
次に、本発明の第２実施形態を図８〜図１０に基づいて説明する。
図８(Ａ)，(Ｂ)は、第２実施形態の制動装置１１Ｂを示す平面図および側面図である。図９、図１０は、それぞれ制動装置１１Ｂを示す斜視図および断面図である。
本実施形態の制動装置１１Ｂでは、その制動装置本体１２Ｂの構成が前記第１実施形態と相違するものである。以下、相違点について詳しく説明する。
【００２６】
制動装置１１Ｂの制動装置本体１２Ｂは、上框７の凹溝部７Ａ底面に取り付けられる案内部としてのベース部材１４Ｂと、このベース部材１４Ｂの上側に設けられるスライダ１５Ｂと、このスライダ１５Ｂと摺接可能にベース部材１４Ｂに固定された低摩擦部材としての低摩擦樹脂シート１６とを有して構成されている。そして、スライダ１５Ｂは、前記第１実施形態と同様のアーム１３を介して上枠４と連結されるとともに、ベース部材１４Ｂと上框７の一対の折返し片７Ｂとで上下方向の移動が規制された状態で、上框７の長手方向に沿ってスライド自在に支持されている。そして、本実施形態において、スライダ１５Ｂの底面に摺接面部１５３が形成され、この摺接面部１５３と低摩擦樹脂シート１６とが摺接可能に構成されている。
【００２７】
案内部材１４Ｂは、金属板材から折り曲げ加工により形成されたもので、上框７の凹溝部７Ａ底面に沿った底面部１４８と、この底面部１４８の長手方向一方の端部に立ち上がった立上り部１４９と、当該案内部材１４Ｂを上框７の凹溝部７Ａ底面に固定するための固定片部１４７とを有して形成されている。このような案内部材１４Ｂにおいて、底面部１４８の上面によって、互いに対向する一対の対向面のうち一方の対向面が構成され、上框７の折返し片７Ｂ下面によって他方の対向面が構成されている。そして、一方の対向面である底面部１４８上面に低摩擦樹脂シート１６が接着剤等で貼り付け固定されている。このような低摩擦樹脂シート１６上面とスライダ１５Ｂ底面の摺接面部１５３とが互いに摺接可能になっており、スライダ１５Ｂと低摩擦樹脂シート１６とが摺接することで、摩擦抵抗力が発生するようになっている。
【００２８】
また、案内部材１４Ｂの立上り部１４９には、螺合部材であるビス１７２が傾斜した状態で螺合され、このビス１７２の先端が上框７の凹溝部７Ａ底面に当接されている。そして、このビス１７２を回転操作することで、案内部材１４Ｂの底面部１４８が上方または下方に移動し、この底面部１４８と上框７の折返し片７Ｂとの距離が調節可能になっている。すなわち、立上り部１４９、ビス１７２および上框７の凹溝部７Ａ底面によって、距離調節機構１７Ｂが構成されている。従って、底面部１４８と上框７の折返し片７Ｂとの間にスライダ１５Ｂを配置した状態において、ビス１７２を締め付けて底面部１４８と折返し片７Ｂとの距離を短くするか、またはビス１７２を緩めて底面部１４８と折返し片７Ｂとの距離を長くすることで、低摩擦樹脂シート１６とスライダ１５Ｂの摺接面部１５３との押圧力が調節でき、これにより押圧力調節手段が構成されている。
【００２９】
以上の本実施形態の制動装置１１Ｂによれば、前記（１）〜（３）と略同一の効果を得ることができる。
さらに、本実施形態の制動装置１１Ｂによれば、案内部材１４Ｂを上框７の凹溝部７Ａに取り付けた状態において、案内部材１４Ｂの側方からドライバー等の工具を用いてビス１７２を回転操作することで、低摩擦樹脂シート１６とスライダ１５Ｂとの押圧力を調節することができ、扉体３を建具枠２に建て込んだ後の摩擦抵抗力の調節が容易に実施できる。
【００３０】
なお、本発明は、前記実施形態に限定されるものではなく、本発明の目的が達成できる他の構成等を含み、以下に示すような変形等も本発明に含まれる。
例えば、前記実施形態においては、建具としてドア１を例示して説明したが、本発明の建具としては、ドア１に限らず、開き窓や突き出し窓、外倒し窓、内倒し窓等の窓であってもよい。
また、前記実施形態においては、上枠４と上框７とを制動装置１１，１１Ａ，１１Ｂで連結したが、制動装置の設置位置は、特に限定されるものではなく、枠体と面材とに相対移動が生じる位置であれば任意の位置に制動装置を設置すればよく、また複数箇所に制動装置を設置してもよい。さらに、枠体側に制動装置本体を設置し、面材側にアームを連結するように構成してもよい。
【００３１】
また、前記実施形態では、押圧力調節手段として対向面間の距離を変更する距離調節機構１７，１７Ｂを採用したが、これに限らず、押圧力調節手段としては、例えば、適宜なばね等の弾性体を利用したものや、磁力等を利用したものなど、任意の構成のものが採用できる。
また、低摩擦部材としては、低摩擦樹脂シート１６に限らず、任意の素材を用いるとともに、板状や、棒状、突起状など任意の形態に加工したものが利用できる。さらに、前記第１実施形態では、一対の対向面１４２Ａの両方に低摩擦樹脂シート１６を固定したが、これに限らず、いずれか一方の対向面１４２Ａに低摩擦樹脂シート１６を固定し、他方の対向面１４２Ａには低摩擦樹脂シート１６を設けないようにしてもよい。このようにすれば、対向面１４２Ａにおける一方（低摩擦樹脂シート１６）および他方の摩擦係数を相違させることで、摩擦抵抗力の調節範囲を拡大させることができる。さらに、面材の開放側と閉鎖側とで摩擦抵抗力を変化させるように構成することも可能である。また、両方の対向面１４２Ａともに低摩擦樹脂シート１６を設けずに、これらの対向面１４２Ａを表面処理したり潤滑油を塗布したりして、対向面１４２Ａ自体を低摩擦面としてもよい。
【００３２】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３３】
【図１】本発明の第１実施形態に係る建具を示す斜視図である。
【図２】前記建具における面材を示す平面図である。
【図３】(Ａ)，(Ｂ)は、前記建具に設けられる制動装置を示す平面図および側面図である。
【図４】前記制動装置を示す斜視図である。
【図５】前記制動装置を示す断面図である。
【図６】(Ａ)，(Ｂ)は、前記制動装置の変形例を示す平面図および側面図である。
【図７】前記変形例の制動装置を示す斜視図である。
【図８】本発明の第２実施形態に係る制動装置を示す平面図および側面図である。
【図９】前記制動装置を示す斜視図である。
【図１０】前記制動装置を示す断面図である。
【符号の説明】
【００３４】
１…建具であるドア、２…枠体である建具枠、３…面材である扉体、７Ａ…凹溝部、１１，１１Ａ，１１Ｂ…制動装置、１３…アーム、１４…案内部である案内部材、１４Ｂ…案内部であるベース部材、１５，１５Ｂ…スライダ、１６…低摩擦部材である低摩擦樹脂シート、１７，１７Ｂ…押圧力調節手段である距離調節機構、１４２…側面部、１４２Ａ…対向面。
【図１】
2008248506.tif 000003
【図２】
2008248506.tif 000004
【図３】
2008248506.tif 000005
【図４】
2008248506.tif 000006
【図５】
2008248506.tif 000007
【図６】
2008248506.tif 000008
【図７】
2008248506.tif 000009
【図８】
2008248506.tif 000010
【図９】
2008248506.tif 000011
【図１０】
2008248506.tif 000012